(57)【特許請求の範囲】
【請求項１】
筐体の給紙口に設けた給紙ガイド板の上縁に給紙トレイが着脱可能に接続され、該給紙トレイの一側縁に設けた固定ガイドに対向して給紙方向とは直交する方向に沿って移動可能な可動ガイドが設けられており、その可動ガイドと固定ガイドとの間に用紙をセットし、該用紙に当接する給紙ローラを回転させることにより、用紙を送り出すようにした給紙装置において、前記可動ガイドが、前記給紙トレイに取り付けられる上側ガイド部と、前記給紙ガイド板に取り付けられる下側ガイド部とからなり、前記上側ガイド部が、前記給紙トレイの表面に移動可能に配置される上側ガイド本体を有し、該上側ガイド本体の上端から給紙トレイの上縁を越えて折れ曲がることにより該給紙トレイの裏面に弾性的に係合する係合片が設けられ、前記上側ガイド本体の下部に、前記給紙トレイに給紙方向とは直交する方向に沿って形成した案内溝に移動可能に嵌入するスライダーが設けられ、前記下側ガイド部が、前記給紙ガイド板の表面に移動可能に配置される横断面略コ字状の下側ガイド本体を有し、該下側ガイド本体の上端から給紙ガイド板の上縁を越えて折れ曲がることにより該給紙ガイド板の裏面に弾性的に係合する係合片が設けられ、前記下側ガイド本体と上側ガイド本体とのうちその一方に形成した凹部とその他方に突設されて前記凹部に嵌入する凸部とからなる連結機構により前記上下両ガイド部が互いに連結され、前記給紙ガイド板の表面に給紙方向とは直交する方向に沿ってラックが形成され、該ラックに対向して下側ガイド本体の裏面からその表面にかけてスリットが形成され、該スリットにより切り残した弾性片に前記ラックに係脱可能に係合するロック爪が突設されていることを特徴とする給紙装置。
【発明の詳細な説明】
【０００１】
【発明の属する技術分野】
本発明は、例えばインクジェット式プリンターなどの給紙装置に関する。
【０００２】
【従来の技術】
従来、この種のプリンターの一例として特開平４−１４０２５４号公報に記載したものがある。これは、図５及び図６に示すように、筐体１の後部に給紙口２が形成されると共に、その前部に排紙口３が形成され、筐体１内に給紙ローラ４、送りローラ５、排紙ローラ６及び印刷ヘッド７が配置され、給紙口２に給紙トレイ８が着脱可能に取り付けられ、該給紙トレイ８の一側縁に設けた固定ガイド９に対向して給紙方向ａとは直交する方向に沿って移動可能な可動ガイド１０がその給紙トレイ８に設けられている。
【０００３】
上記構成において、可動ガイド１０と固定ガイド９との間に用紙Ｐをセットし、該用紙Ｐに当接する給紙ローラ４を回転させることにより、用紙Ｐが送りローラ５及び排紙ローラ６に順次受け渡され、その用紙Ｐに印刷ヘッド７により印刷が施されるようになっている。
【０００４】
【発明が解決しようとする課題】
上記従来の構成では、筐体１の外側に設けた固定ガイド９と可動ガイド１０とで用紙Ｐを両側から挟んでいるだけであり、その可動ガイド１０により用紙Ｐの先端部が支持されていないので、給紙ローラ４により用紙Ｐを送り出す際に、その用紙Ｐが斜行されやすい（図６仮想線参照）。
【０００５】
このため、用紙Ｐの先端を送りローラ５に当てた状態で該送りローラ５を逆回転させることにより、斜行を修正しているが、葉書や定形封筒などの比較的硬くて小型の用紙Ｐの場合には、斜行を修正することが困難であり、また、斜行を修正するために、送りローラ５の逆転時間を長く設定すると、印刷処理時間が長くなる。
【０００６】
そこで、図６に仮想線で示すように、可動ガイド１０に、筐体１内まで延びる延長部１１を所定間隔αだけ延設することが考えられるが、これでは、延長部１１の支持が不充分であるため、その延長部１１が変位して斜行の阻止を正確に行うことが困難になる虞れがある。
【０００７】
また、給紙トレイ８から延長部１１が外側に突出した状態となっているため、給紙トレイ８と可動ガイド１０とを一体に梱包するときに、その梱包箱が延長部１１の分だけ大型化し、運送費が高くつくと共に、その延長部１１が損傷されやすいという難点がある。
【０００８】
本発明は、上記従来の欠点に鑑み、用紙の斜行を確実に阻止することができると共に、コンパクトに梱包することができ、しかも、可動ガイドが損傷されないようにした給紙装置を提供することを目的としている。
【０００９】
【課題を解決するための手段】
上記目的を達成するため、請求項１記載の発明は、筐体の給紙口に設けた給紙ガイド板の上縁に給紙トレイが着脱可能に接続され、該給紙トレイの一側縁に設けた固定ガイドに対向して給紙方向とは直交する方向に沿って移動可能な可動ガイドが設けられており、その可動ガイドと固定ガイドとの間に用紙をセットし、該用紙に当接する給紙ローラを回転させることにより、用紙を送り出すようにした給紙装置において、前記可動ガイドが、前記給紙トレイに取り付けられる上側ガイド部と、前記給紙ガイド板に取り付けられる下側ガイド部とからなり、前記上側ガイド部が、前記給紙トレイの表面に移動可能に配置される上側ガイド本体を有し、該上側ガイド本体の上端から給紙トレイの上縁を越えて折れ曲がることにより該給紙トレイの裏面に弾性的に係合する係合片が設けられ、前記上側ガイド本体の下部に、前記給紙トレイに給紙方向とは直交する方向に沿って形成した案内溝に移動可能に嵌入するスライダーが設けられ、前記下側ガイド部が、前記給紙ガイド板の表面に移動可能に配置される横断面略コ字状の下側ガイド本体を有し、該下側ガイド本体の上端から給紙ガイド板の上縁を越えて折れ曲がることにより該給紙ガイド板の裏面に弾性的に係合する係合片が設けられ、前記下側ガイド本体と上側ガイド本体とのうちその一方に形成した凹部とその他方に突設されて前記凹部に嵌入する凸部とからなる連結機構により前記上下両ガイド部が互いに連結され、前記給紙ガイド板の表面に給紙方向とは直交する方向に沿ってラックが形成され、該ラックに対向して下側ガイド本体の裏面からその表面にかけてスリットが形成され、該スリットにより切り残した弾性片に前記ラックに係脱可能に係合するロック爪が突設されていることを特徴としている。
【００１０】
上記構成によれば、可動ガイドが上下両ガイド部により形成されており、筐体の外側で上側ガイド部と固定ガイドとで用紙を両側から挟むだけでなく、筐体内に設けた下側ガイド部により用紙の先端部を支持するので、給紙ローラにより用紙を送り出す際に、その用紙を斜行しないように真っ直ぐ送りだすことができる。
【００１１】
また、上側ガイド部の端部を給紙トレイから外方に突出させないようにして、その給紙トレイと上側ガイド部とを一体的にコンパクトに梱包することができ、これによって、運送費を安くすることができると共に、上側ガイド部の端部が損傷されないようにすることができる。
【００１２】
上側ガイド部の上側ガイド本体と該上側ガイド本体の上端から折れ曲がる係合片とを給紙トレイの上縁に係合させるだけで、その給紙トレイに上側ガイド部を簡単に取り付けることができる。
【００１３】
上側ガイド本体の下部に設けたスライダーを給紙トレイに形成した案内溝に移動可能に嵌入させることにより、その上側ガイド本体の下部を変位しないように確実に支持して、用紙を斜行しないように真っ直ぐに送り出すことができる。
【００１４】
下側ガイド部の下側ガイド本体と該下側ガイド本体の上端から折れ曲がる係合片とを給紙ガイド板の上縁に係合させるだけで、その給紙ガイド板に下側ガイド部を簡単に取り付けることができる。
【００１５】
上下両ガイド部が連結機構を介して互いに連結されているので、その上下両ガイド部を一体的に移動させることができ、また、上下両ガイド部間の継ぎ目で用紙が引っ掛かる虞れがない。
【００１６】
連結機構が凹部と凸部とからなり、構成が簡単で製作費を安くすることができる。また、凸部を凹部に嵌入させるだけで、上下両ガイド部を簡単に一体化することができる。
【００１７】
【発明の実施の形態】
図１及び図２は本発明の実施の一形態である給紙装置を備えたインクジェット式プリンターを示すものであって、可動ガイド１０が、給紙トレイ８に取り付けた上側ガイド部１０Ａと、給紙ガイド板１２に取り付けた下側ガイド部１０Ｂとからなり、その上下両ガイド部１０Ａ，１０Ｂが連結機構１３を介して互いに連結されている。上記以外の構成で図５及び図６に示す従来例と同一部分に同一符号を付してその説明を省略する。
【００１８】
給紙トレイ８は、図３に示すように、用紙Ｐを支持する矩形板状トレイ本体８ａと、該トレイ本体８ａの下縁から後方に折れ曲がる段部８ｂと、該段部８ｂの後縁から下方に延びる後方支持板８ｃと、段部８ｂの前縁両端から下方に延びる左右一対の前方支持片８ｄとからなり、その前方支持片８ｄ及び後方支持板８ｃを給紙ガイド板１２の上縁に嵌合させることにより、給紙トレイ８を給紙ガイド板１２の上縁に着脱可能に接続させることができる。
【００１９】
前記上側ガイド部１０Ａは、合成樹脂成形品であって、図３に示すように、トレイ本体８ａの表面に移動可能に配置される横断面略Ｌ字状の上側ガイド本体１０ａを有し、該上側ガイド本体１０ａの上端からトレイ本体８ａの上縁を越えて折れ曲がることにより該トレイ本体８ａの裏面に弾性的に係合する略Ｌ字状の係合片１０ｂが設けられ、上側ガイド本体１０ａの下部にスライダー１０ｃが突設されている。
【００２０】
上記構成において、上側ガイド部１０Ａの上側ガイド本体１０ａと係合片１０ｂとをトレイ本体８ａの上縁に係合させることにより、上側ガイド部１０Ａを給紙トレイ８に簡単に取り付けることができると共に、スライダー１０ｃをトレイ本体８ａの下部表面に給紙方向ａとは直交する方向に沿って形成した案内溝１５に嵌入させることにより、上側ガイド部１０Ａの下部を変位しないように確実に支持することができる。
【００２１】
前記下側ガイド部１０Ｂは、合成樹脂成形品であって、図４に示すように、給紙ガイド板１２の表面に移動可能に配置される横断面略コ字状の下側ガイド本体１０ｄを有し、該下側ガイド本体１０ｄの上端から給紙ガイド板１２の上縁を越えて折れ曲がることにより該給紙ガイド板１２の裏面に弾性的に係合する係合片１０ｅが設けられている。
【００２２】
上記構成によれば、下側ガイド部１０Ｂの下側ガイド本体１０ｄと係合片１０ｅとを給紙ガイド板１２の上縁に係合させるだけで、その給紙ガイド板１２に下側ガイド部１０Ｂを簡単に取り付けることができる。
【００２３】
図４に示すように、給紙ガイド板１２の表面に給紙方向ａとは直交する方向に沿ってラック１７が形成され、そのラック１７に対向して下側ガイド本体１０ｄの裏面からその表面にかけて略コ字状のスリット１８が形成され、該スリット１８により切り残した弾性片１９に前記ラック１７に係脱可能に係合するロック爪１９ａが突設されている。
【００２４】
上記構成において、弾性片１９に突設した可動摘まみ部１９ｂと下側ガイド本体１０ｄに突設した固定摘まみ部２０とを指部で摘むことにより、弾性片１９が弾性変形してロック爪１９ａがラック１７から離脱され、下側ガイド部１０Ｂを給紙方向ａとは直交する方向に沿って自由に移動させることができ、また、指部による摘まみを解除することにより、ロック爪１９ａがラック１７に係合して、下側ガイド部１０Ｂを給紙ガイド板１２に固定することができる。
【００２５】
前記連結機構１３は、図３及び図４に示すように、下側ガイド本体１０ｄの上面に形成した凹部１３ａと、上側ガイド本体１０ａの下端に突設されて凹部１３ａに嵌入する凸部１３ｂとからなっている。
【００２６】
上記構成において、給紙トレイ８を給紙ガイド板１２の上縁に接続する際に、凸部１３ｂを凹部１３ａに嵌入させるだけで、上下両ガイド部１０Ａ，１０Ｂが一体的に連結され、これによって、その上下両ガイド部１０Ａ，１０Ｂを一体的に移動させることができると共に、上下両ガイド部１０Ａ，１０Ｂ間の継ぎ目で用紙Ｐが引っ掛かる虞れがない。更に、構成が簡単で製作費を安くすることができる。
【００２７】
上記とは逆に、下側ガイド本体１０ｄに凸部１３ｂを突設し、上側ガイド本体１０ａに凹部１３ａを形成するようにしてもよい。また、その凹部１３ａと凸部１３ｂとに換えて、上下両ガイド部１０Ａ，１０Ｂを互いに一体的に連結する連結手段を採用してもよい。
【００２８】
前記給紙ローラ４は、図１及び図２に示すように、筐体１内の左右両側壁部１ａに回転可能に架設した支持軸２２に回転可能に外嵌してばね２３により給紙ガイド板１２に向けて付勢したピックアップユニット２４の先端に回転可能に配置されており、駆動モータ２５により歯車機構２６、支持軸２２及びピックアップユニット２４内の歯車機構を介して回転される。
【００２９】
上記構成において、用紙Ｐに印刷を施す場合には、図１及び図２に示すように、給紙トレイ８を給紙ガイド板１２の上縁に接続した状態で、連結機構１３を介して互いに連結した上下両ガイド部１０Ａ，１０Ｂからなる可動ガイド１０と固定ガイド９との間に用紙Ｐをセットし、該用紙Ｐに当接する給紙ローラ４を回転させる。これにより、用紙Ｐが送りローラ５及び排紙ローラ６に順次受け渡され、その用紙Ｐに印刷ヘッド７により印刷が施される。
【００３０】
上記構成によれば、可動ガイド１０が上下両ガイド部１０Ａ，１０Ｂにより形成されており、筐体１の外側で上側ガイド部１０Ａと固定ガイド９とで用紙Ｐを両側から挟むだけでなく、筐体１内に設けた下側ガイド部１０Ｂにより用紙Ｐの先端部を支持するので、給紙ローラ４により用紙Ｐを送り出す際に、その用紙Ｐを斜行しないように真っ直ぐ送りだすことができる。
【００３１】
また、上側ガイド部１０Ａの端部を給紙トレイ８から外方に突出させないようにして、その給紙トレイ８と上側ガイド部１０Ａとを一体的にコンパクトに梱包することができ、これによって、運送費を安くすることができると共に、上側ガイド部１０Ａの端部が損傷されないようにすることができる。
【００３２】
【発明の効果】
請求項１記載の発明によれば、可動ガイドが上下両ガイド部により形成されており、筐体の外側で上側ガイド部と固定ガイドとで用紙を両側から挟むだけでなく、筐体内に設けた下側ガイド部により用紙の先端部を支持するので、給紙ローラにより用紙を送り出す際に、その用紙を斜行しないように真っ直ぐ送りだすことができる。
【００３３】
また、上側ガイド部の端部を給紙トレイから外方に突出させないようにして、その給紙トレイと上側ガイド部とを一体的にコンパクトに梱包することができ、これによって、運送費を安くすることができると共に、上側ガイド部の端部が損傷されないようにすることができる。
【００３４】
上側ガイド部の上側ガイド本体と該上側ガイド本体の上端から折れ曲がる係合片とを給紙トレイの上縁に係合させるだけで、その給紙トレイに上側ガイド部を簡単に取り付けることができる。
【００３５】
上側ガイド本体の下部に設けたスライダーを給紙トレイに形成した案内溝に移動可能に嵌入させることにより、その上側ガイド本体の下部を変位しないように確実に支持して、用紙を斜行しないように真っ直ぐに送り出すことができる。
【００３６】
下側ガイド部の下側ガイド本体と該下側ガイド本体の上端から折れ曲がる係合片とを給紙ガイド板の上縁に係合させるだけで、その給紙ガイド板に下側ガイド部を簡単に取り付けることができる。
【００３７】
上下両ガイド部が連結機構を介して互いに連結されているので、その上下両ガイド部を一体的に移動させることができ、また、上下両ガイド部間の継ぎ目で用紙が引っ掛かる虞れがない。
【００３８】
連結機構が凹部と凸部とからなり、構成が簡単で製作費を安くすることができる。また、凸部を凹部に嵌入させるだけで、上下両ガイド部を簡単に一体化することができる。
【図面の簡単な説明】
【図１】  本発明の実施の一形態である給紙装置を備えたインクジェット式プリンターを示す一部切欠き側面図である。
【図２】  同一部切欠き正面図である。
【図３】  同給紙トレイ及び上側ガイド部の分解斜視図である。
【図４】  同給紙ガイド板に下側ガイド部を取り付けた状態の斜視図である。
【図５】  従来例を示す縦断面図である。
【図６】  同概略平面図である。
【符号の説明】
１      筐体
２      給紙口
４      給紙ローラ
８      給紙トレイ
９      固定ガイド
１０    可動ガイド
１０Ａ  上側ガイド部
１０Ｂ  下側ガイド部
１０ａ  上側ガイド本体
１０ｂ  係合片
１０ｃ  スライダー
１０ｄ  下側ガイド本体
１０ｅ  係合片
１２    給紙ガイド板
１３    連結機構
１３ａ  凹部
１３ｂ  凸部
１５    案内溝
【図１】
0004143882.tif 000002
【図２】
0004143882.tif 000003
【図３】
0004143882.tif 000004
【図４】
0004143882.tif 000005
【図５】
0004143882.tif 000006
【図６】
0004143882.tif 000007